(57)【要約】【課題】  転がり軸受の保持器を、合成樹脂製の保持器本体と金属製リングとの組み合わせによって構成することによって、遠心力による外径方向への変形を良好に防止することができると共に、保持器本体と金属製リングとを強固に連結保持することができる転がり軸受の保持器を提供する。【解決手段】  転がり軸受の保持器４０は、内輪１０と外輪２０との間の一方側から組み付けられる合成樹脂製の第１の保持器本体４１と、他方側から組み付けられる合成樹脂製の第２の保持器本体４５と、第１、第２の両保持器本体４１、４５のうち、少なくとも一方の保持器本体の外側部に沿って配置される金属製リング５１とを備える。第１、第２の両保持器本体４１、４５及び金属製リング５１は、第１、第２の両保持器本体４１、４５のそれぞれのポケット４２、４６間に設けられて相対向する柱部４３、４７にわたって挿通されたリベット６０によって一体状に連結されている。【選択図】        図２
2007263279.tif 000002
【特許請求の範囲】
【請求項１】
内輪と外輪との間に複数の転動体を保持するための転がり軸受の保持器であって、
前記保持器は、前記内輪と前記外輪との間の一方側から組み付けられる合成樹脂製の第１の保持器本体と、他方側から組み付けられる合成樹脂製の第２の保持器本体と、前記第１、第２の両保持器本体のうち、少なくとも一方の保持器本体の外側部に沿って配置される金属製リングとを備え、
前記第１、第２の両保持器本体及び前記金属製リングは、前記第１、第２の両保持器本体のそれぞれの隣接するポケット間に設けられた相互の柱部の部分においてリベットによって一体状に連結されていることを特徴とする転がり軸受の保持器。
【請求項２】
請求項１に記載の転がり軸受の保持器であって、
金属製リングは、第１、第２の両保持器本体の外側部に沿ってそれぞれ配置され、
前記両金属製リングの間に前記第１、第２の両保持器本体が挟持されていることを特徴とする転がり軸受の保持器。
【請求項３】
内輪と外輪との間に複数の転動体を保持するための転がり軸受の保持器であって、
前記保持器は、前記内輪と外輪との間の一方側から組み付けられる合成樹脂製の保持器本体と、他方側から組み付けられる金属製リングとを備え、
前記保持器本体の隣接するポケット間に設けられた柱部には、前記金属製リングに向けて連結体が一体に突設され、
前記連結体の先端面には、前記金属製リングを貫通して軸部が突出され、
前記軸部の先端部が溶融カシメされて前記保持器本体と前記金属製リングが一体状に連結されていることを特徴とする転がり軸受の保持器。
【発明の詳細な説明】
【技術分野】
【０００１】
この発明は、深溝玉軸受、円筒ころ軸受等の転がり軸受に用いられる保持器に関する。
【背景技術】
【０００２】
転がり軸受、例えば、深溝玉軸受において、保持器が合成樹脂製で片抱きタイプの冠形である場合、回転時の遠心力によって外径方向に変形しやすい。また、保持器が遠心力によって外径方向へ変形すると玉の転がりが悪くなる。
このため、例えば、特許文献１（実開平６−１８４８号公報）に開示された合成樹脂製保持器が知られている。
これにおいては、保持器本体の隣接するポケット間に設けられた柱部に連結脚を形成する一方、環状の蓋体に係合軸部を設け、その係合軸部を連結脚の先端部に弾性的に係合させたり、あるいは圧入することによって、環状の蓋体を連結するようになっている。
【特許文献１】実開平６−１８４８号公報
【発明の開示】
【発明が解決しようとする課題】
【０００３】
ところで、特許文献１に開示された合成樹脂製の保持器においては、保持器本体の連結脚の先端部に、環状の蓋体の係合軸部を弾性的に係合させたり、あるいは圧入することによって連結する構造上、例えば、連結脚と係合軸部との係合力を高めて係合軸部の不測の抜け出しを防止しようとすると、保持器本体と環状の蓋体との連結作業性が悪くなる。
これとは逆に、保持器本体と環状の蓋体との連結作業性を考慮して、連結脚と係合軸部との係合力を小さくすると、係合軸部が不測に抜け出る不具合が発生する。
【０００４】
この発明の目的は、前記問題点に鑑み、転がり軸受の保持器を、合成樹脂製の保持器本体と金属製リングとの組み合わせによって構成することによって、遠心力による外径方向への変形を良好に防止することができると共に、保持器本体と金属製リングとを強固に連結保持することができる転がり軸受の保持器を提供することである。
【課題を解決するための手段】
【０００５】
前記目的を達成するために、この発明の請求項１に係る転がり軸受の保持器は、内輪と外輪との間に複数の転動体を保持するための転がり軸受の保持器であって、
前記保持器は、前記内輪と前記外輪との間の一方側から組み付けられる合成樹脂製の第１の保持器本体と、他方側から組み付けられる合成樹脂製の第２の保持器本体と、前記第１、第２の両保持器本体のうち、少なくとも一方の保持器本体の外側部に沿って配置される金属製リングとを備え、
前記第１、第２の両保持器本体及び前記金属製リングは、前記第１、第２の両保持器本体のそれぞれのポケット間に設けられて相対向する柱部にわたって挿通されたリベットによって一体状に連結されていることを特徴とする。
【０００６】
前記構成によると、第１、第２の両保持器本体の相互のポケットによって転動体を両抱きにすることによって転動体の抱き込み力を高めることができると共に、第１、第２の両保持器本体の柱部にリベットによる芯をもつ構造となり、金属製リング及びリベットによって剛性を良好に高めることができる。このため、遠心力による外径方向への変形を良好に防止することができる。
さらに、第１、第２の両保持器本体と金属製リングとをリベットによって強固にかつ確実に連結保持することができ、耐久性にも優れる。
【０００７】
請求項２に係る転がり軸受の保持器は、請求項１に記載の転がり軸受の保持器であって、
金属製リングは、第１、第２の両保持器本体の外側部に沿ってそれぞれ配置され、
前記両金属製リングの間に前記第１、第２の両保持器本体が挟持されていることを特徴とする。
【０００８】
前記構成によると、第１、第２の両保持器本体を、両金属製リングによって挟持することで、剛性をより一層良好に高めることができ、遠心力による外径方向への変形防止に効果が大きい。
【０００９】
請求項３に係る転がり軸受の保持器は、内輪と外輪との間に複数の転動体を保持するための転がり軸受の保持器であって、
前記保持器は、前記内輪と外輪との間の一方側から組み付けられる合成樹脂製の保持器本体と、他方側から組み付けられる金属製リングとを備え、
前記保持器本体のポケット間に設けられた柱部には、前記金属製リングに向けて連結体が一体に突設され、
前記連結体の先端面には、前記金属製リングを貫通して軸部が突出され、
前記軸部の先端部が溶融カシメされて前記保持器本体と前記金属製リングが一体状に連結されていることを特徴とする。
【００１０】
前記構成によると、金属製リングによって剛性を高めることができるため、遠心力による外径方向への変形を良好に防止することができる。
また、合成樹脂製の保持器本体の柱部から突設された連結体先端面の軸部の先端部が金属製リングを貫通して溶融カシメされることで、合成樹脂製の保持器本体と金属製リングとが強固にかつ確実に連結保持されるため、転動体を安定よく抱き込むことができる。
【発明を実施するための最良の形態】
【００１１】
次に、この発明を実施するための最良の形態を実施例にしたがって説明する。
【実施例１】
【００１２】
この発明の実施例１を図１〜図３にしたがって説明する。
図１はこの発明の実施例１に係る転がり軸受としての深溝玉軸受を一部破断して示す斜視図である。図２は保持器のポケットに転動体が保持された状態を示す縦断面図である。図３は保持器の第１、第２の両保持器本体が第１、第２の両金属製リングに挟持されリベットによって連結された状態を示す縦断面図である。
図１〜図３に示すように、転がり軸受としての深溝玉軸受は、外周面に断面円弧状の軌道面１１が環状に形成された内輪１０と、内周面に断面円弧状の軌道面２１が環状に形成された外輪２０と、これら内・外輪１０、２０の軌道面１１、２１の間に配置された複数個の転動体としての玉３０と、これら複数個の玉３０を保持する保持器４０とを備えて構成されている。
【００１３】
図１と図２に示すように、保持器４０は、合成樹脂製の第１、第２の両保持器本体４１、４５と、これら両保持器本体４１、４５を外側から挟持する第１、第２の両金属製リング５１、５５とを備えて構成されている。
図２と図３に示すように、第１、第２の両保持器本体４１、４５は、複数個の玉３０に対応するポケット４２、４６と、柱部４３、４７とをそれぞれ周方向に交互に備えており、第１の保持器本体４１は内輪１０と外輪２０との間の一方側から組み付けられ、第２の保持器本体４５は内輪１０と外輪２０との間の他方側から組み付けられようになっている。
また、この実施例１において、図１に示すように、第１の保持器本体４１のポケット４２は、玉３０の中心を所定量だけ越えて深く形成され、この分だけ第２の保持器本体４５のポケット４６は、浅く形成されている。
【００１４】
第１、第２の両保持器本体４１、４５の外側部には、鋼板リング等よりなる第１、第２の両金属製リング５１、５５が配設され、これら第１、第２の両金属製リング５１、５５及び第１、第２の両保持器本体４１、４５が、相互の柱部４３、４７の部分にわたって挿通された金属製のリベット６０によって一体状に連結されている。
そして、第１、第２の両金属製リング５１、５５の間に第１、第２の両保持器本体４１、４５が挟持されるようになっている。
すなわち、図３に示すように、一端に頭部６１を有するリベット６０の軸部６２が第１の金属製リング５１、第１の保持器本体４１の柱部４３、第２の保持器本体４５の柱部４７及び第２の金属製リング５５に順次に挿通された後、軸部６２の先端がカシメられてカシメ部６３が形成されることによって、第１、第２の両金属製リング５１、５５の間に第１、第２の両保持器本体４１、４５が挟持された状態でリベット６０によって連結され、これによって保持器４０が構成されるようになっている。
【００１５】
上述したように構成されるこの実施例１に係る転がり軸受としての深溝玉軸受の保持器４０において、図２に示すように、第１、第２の両保持器本体４１、４５の相互のポケット４２、４６によって玉３０を両抱きにして保持することができるため、片抱きタイプの保持器と比べ、玉３０の抱き込み力を高めることができる。
さらに、図３に示すように、第１、第２の両保持器本体４１、４５の相互の柱部４３、４７に、金属製のリベット６０の軸部６２による芯をもつ構造となる。このため、第１、第２の両金属製リング５１、５５及びリベット６０によって剛性を良好に高めることができる。この結果、遠心力による外径方向への変形を良好に防止することができる。
さらに、第１、第２の両金属製リング５１、５５及び第１、第２の両保持器本体４１、４５をリベット６０によって強固にかつ確実に連結保持することができ、遠心力による外径方向への変形防止に効果が大きく、耐久性にも優れる。
【００１６】
また、第１、第２の両保持器本体４１、４５の相互のポケット４２、４６における玉３０に接触する面に、摩擦係数が小さい材料（例えばテフロン（登録商標）樹脂材）のコーテング層を設けることによって低トルクの深溝玉軸受を構成することが可能となる。
【実施例２】
【００１７】
次に、この発明の実施例２を図４と図５にしたがって説明する。
図４はこの発明の実施例２に係る転がり軸受としての深溝玉軸受に用いられる保持器を構成する合成樹脂製の保持器本体と金属製リングとが分離された状態を破断して示す斜視図である。図５は保持器本体と金属製リングとが連結された状態を示す断面図である。
図４と図５に示すように、この実施例２においては、片抱きタイプの保持器１４０である場合を例示するものであり、保持器１４０は、合成樹脂製で冠形の保持器本体１４１と、鋼板等の金属製リング１５１との組み合わせによって構成されている。
すなわち、保持器本体１４１には、複数個の玉３０をそれぞれ個別に保持するポケット１４２と、これら隣接するポケット１４２間に設けられた柱部１４３とを備え、各柱部１４３の先端面には、角軸状の連結体１４５が金属製リング１５１に向けて一体に突設されている。さらに、各連結体１４５の先端面には、金属製リング１５１の貫通孔１５２を通して貫通される軸部１４６が突出されている。そして、図５に示すように、軸部１４６の先端部が溶融カシメされてカシメ部１４７が形成されることで、保持器本体１４１と金属製リング１５１が一体状に連結されている。
この実施例２のその他の構成は実施例１と同様に構成されるため、同一構成部分に対し同一符号を付記してその説明は省略する。
【００１８】
上述したように構成されるこの実施例２に係る深溝玉軸受の保持器１４０において、金属製リング１５１によって保持器１４０の剛性を高めることができるため、遠心力による外径方向への変形を良好に防止することができる。
また、保持器本体１４１の柱部１４３から突設された連結体１４５先端面の軸部１４６の先端部が金属製リング１５１の貫通孔１５２を通して貫通され溶融カシメによってカシメ部１４７が形成されることで、保持器本体１４１と金属製リング１５１とを強固にかつ確実に連結保持することができ、玉３０を安定よく抱き込むことができる。
【００１９】
なお、この発明は前記実施例１及び２に限定するものではない。
例えば、前記実施例１においては、合成樹脂製の第１、第２の両保持器本体４１、４５と、これら両保持器本体４１、４５の外側から挟持する第１、第２の両金属製リング５１、５５とを備えて保持器４０が構成される場合を例示したが、第１、第２の両保持器本体４１、４５のうちの一方の保持器本体の外側部に沿って金属製リングを配置してリベット６０によって固定してもこの発明を実施することができる。
また、前記実施例１及び２においては転がり軸受が深溝玉軸受である場合を例示したが、円筒ころ軸受である場合においてもこの発明の保持器を採用することが可能である。
【図面の簡単な説明】
【００２０】
【図１】この発明の実施例１に係る転がり軸受としての深溝玉軸受を一部破断して示す斜視図である。
【図２】同じく保持器のポケットに玉が保持された状態を示す縦断面図である。
【図３】同じく保持器の第１、第２の両保持器本体が第１、第２の両金属製リングに挟持されリベットによって連結された状態を示す縦断面図である。
【図４】この発明の実施例２に係る転がり軸受としての深溝玉軸受に用いられる保持器を構成する合成樹脂製の保持器本体と金属製リングとが分離された状態を破断して示す斜視図である。
【図５】同じく保持器本体と金属製リングとが連結された状態を示す断面図である。
【符号の説明】
【００２１】
１０  内輪
１１  軌道面
２０  外輪
２１  軌道面
３０  玉
４０  保持器
４１  第１の保持器本体
４２  ポケット
４３  柱部
４５  第２の保持器本体
４６  ポケット
４７  柱部
５１  第１の金属製リング
５５  第２の金属製リング
６０  リベット
１４０  保持器
１４１  保持器本体
１４２  ポケット
１４３  柱部
１４５  連結体
１４６  軸部
１４７  カシメ部
１５１  金属製リング
【図１】
2007263279.tif 000003
【図２】
2007263279.tif 000004
【図３】
2007263279.tif 000005
【図４】
2007263279.tif 000006
【図５】
2007263279.tif 000007